(57)【要約】      （修正有）【課題】信頼性の高い簡便な構造のバルブ、そのバルブを用いたヒートポンプ、及び、そのヒートポンプを用いた情報処理システムを提供する。【解決手段】隔壁１０に形成された通気孔１２を開閉するシート状の弁体１４を有し、弁体１４は、通気孔１２の縁２０に当接する凸部２２を有している。凸部２２の形状は、半球殻状（半球状）であり、弁体１４は、伸縮可能であり、弁体１４の両端が、台座１６を介して隔壁１０に固定されている。【選択図】図１
2013015169.tif 000002
【特許請求の範囲】
【請求項１】
隔壁に形成された通気孔を開閉するシート状の弁体を有し、
前記弁体は、前記通気孔の縁に当接する凸部を有している
ことを特徴とするバルブ。
【請求項２】
請求項１記載のバルブにおいて、
前記凸部は半球殻状である
ことを特徴とするバルブ。
【請求項３】
請求項１又は２記載のバルブにおいて、
前記弁体は、伸縮可能であり、
前記弁体の両端が、台座を介して前記隔壁に固定されている
ことを特徴とするバルブ。
【請求項４】
吸着過程と脱着過程とが交互に切り換えられる吸着器と、
前記脱着過程にある前記吸着器から脱着した冷媒の供給を受けて、前記冷媒を凝縮させる凝縮器と、
前記凝縮器により凝縮された前記冷媒の供給を受けて、前記冷媒を蒸発させ、前記吸着過程にある前記吸着器に前記冷媒を供給する蒸発器と、
前記吸着器と前記凝縮器との間、又は、前記吸着器と前記蒸発器との間の隔壁に形成された通気孔を開閉するシート状の弁体を有し、前記弁体は、前記通気孔の縁に当接する凸部を有しているバルブと
を有することを特徴とするヒートポンプ。
【請求項５】
情報機器と、
前記情報機器から発せられる熱を用いた加熱により吸着過程と脱着過程とが交互に切り換わる吸着器と、前記脱着過程にある前記吸着器から脱着した冷媒の供給を受けて、前記冷媒を凝縮させる凝縮器と、前記凝縮器により凝縮された前記冷媒の供給を受けて、前記冷媒を蒸発させ、前記吸着過程にある前記吸着器に前記冷媒を供給する蒸発器と、前記吸着器と前記凝縮器との間、又は、前記吸着器と前記蒸発器との間の隔壁に形成された通気孔を開閉するシート状の弁体を有し、前記弁体は、前記通気孔の縁に当接する凸部を有しているバルブとを有するヒートポンプと、
前記ヒートポンプにより冷却される熱媒流体を用いて空調を行う空調装置と
を有することを特徴とする情報処理システム。
【発明の詳細な説明】
【技術分野】
【０００１】
本発明は、バルブ、ヒートポンプ及び情報処理システムに関する。
【背景技術】
【０００２】
近時、地球温暖化防止や省エネルギー等の観点から、廃熱を有効利用することが注目されている。
【０００３】
廃熱を有効利用する技術の一つとして、吸着式ヒートポンプが挙げられる。
【０００４】
吸着式ヒートポンプは、吸着質が吸着剤に対して吸脱着する際に生ずる潜熱の移動を利用することで、１００℃以下の比較的低い温度の温熱（廃熱）を、有効利用可能な冷熱に変換するものである。用いられる吸着剤の種類によっては、廃熱の温度が６０℃程度の比較的低い温度であってもよいため、様々な廃熱を用いてエネルギーを有効利用できる可能性がある。
【０００５】
吸着式ヒートポンプは、吸着器と、凝縮器と、蒸発器とを有しており、これらの間の隔壁には差圧によって開閉するバルブ（蒸気バルブ）が設けられている。
【先行技術文献】
【特許文献】
【０００６】
【特許文献１】特許第４４１１７９２号公報
【特許文献２】特許第３８３１９５９号公報
【特許文献３】特開平９−１５２２２１号公報
【特許文献４】特開平１１−３４４１３８号公報
【発明の概要】
【発明が解決しようとする課題】
【０００７】
しかしながら、従来のバルブは、必ずしも十分な信頼性が得られない場合があった。
【０００８】
本発明の目的は、信頼性の高い簡便な構造のバルブ、そのバルブを用いたヒートポンプ、及び、そのヒートポンプを用いた情報処理システムを提供することにある。
【課題を解決するための手段】
【０００９】
実施形態の一観点によれば、隔壁に形成された通気孔を開閉するシート状の弁体を有し、前記弁体は、前記通気孔の縁に当接する凸部を有していることを特徴とするバルブが提供される。
【００１０】
実施形態の他の観点によれば、吸着過程と脱着過程とが交互に切り換えられる吸着器と、前記脱着過程にある前記吸着器から脱着した冷媒の供給を受けて、前記冷媒を凝縮させる凝縮器と、前記凝縮器により凝縮された前記冷媒の供給を受けて、前記冷媒を蒸発させ、前記吸着過程にある前記吸着器に前記冷媒を供給する蒸発器と、前記吸着器と前記凝縮器との間、又は、前記吸着器と前記蒸発器との間の隔壁に形成された通気孔を開閉するシート状の弁体を有し、前記弁体は、前記通気孔の縁に当接する凸部を有しているバルブとを有することを特徴とするヒートポンプが提供される。
【００１１】
実施形態の更に他の観点によれば、情報機器と、前記情報機器から発せられる熱を用いた加熱により吸着過程と脱着過程とが交互に切り換わる吸着器と、前記脱着過程にある前記吸着器から脱着した冷媒の供給を受けて、前記冷媒を凝縮させる凝縮器と、前記凝縮器により凝縮された前記冷媒の供給を受けて、前記冷媒を蒸発させ、前記吸着過程にある前記吸着器に前記冷媒を供給する蒸発器と、前記吸着器と前記凝縮器との間、又は、前記吸着器と前記蒸発器との間の隔壁に形成された通気孔を開閉するシート状の弁体を有し、前記弁体は、前記通気孔の縁に当接する凸部を有しているバルブとを有するヒートポンプと、前記ヒートポンプにより冷却される熱媒流体を用いて空調を行う空調装置とを有することを特徴とする情報処理システムが提供される。
【発明の効果】
【００１２】
開示のバルブによれば、隔壁に形成された通気孔を開閉する弁体に、通気孔の縁に当接可能な凸部が形成されている。このため、弁体のうちの凸部を除く部分を隔壁に接触させることなく、バルブを閉じた状態にすることができる。このため、弁体が隔壁に貼り付いてしまうのを防止することができ、ひいては、信頼性の高い簡便な構造のバルブを提供することができる。
【図面の簡単な説明】
【００１３】
【図１】図１は、第１実施形態によるバルブを示す断面図及び平面図である。
【図２】図２は、第１実施形態によるバルブの動作を示す断面図である。
【図３】図３は、第２実施形態によるバルブを示す断面図及び平面図である。
【図４】図４は、第２実施形態によるバルブの動作を示す断面図である。
【図５】図５は、第３実施形態によるヒートポンプ及び情報処理システムを示す概略図である。
【図６】図６は、第３実施形態によるヒートポンプ及び情報処理システムの動作を示す概略図（その１）である。
【図７】図７は、第３実施形態によるヒートポンプ及び情報処理システムの動作を示す概略図（その２）である。
【図８】図８は、第４実施形態によるヒートポンプ及び情報処理システムを示す概略図である。
【図９】図９は、第４実施形態によるヒートポンプ及び情報処理システムの動作を示す概略図（その１）である。
【図１０】図１０は、第４実施形態によるヒートポンプ及び情報処理システムの動作を示す概略図（その２）である。
【図１１】図１１は、第５実施形態によるヒートポンプ及び情報処理システムを示す概略図である。
【図１２】図１２は、第５実施形態によるヒートポンプ及び情報処理システムの動作を示す概略図（その１）である。
【図１３】図１３は、第５実施形態によるヒートポンプ及び情報処理システムの動作を示す概略図（その２）である。
【図１４】図１４は、参考例によるバルブを示す概略図である。
【発明を実施するための形態】
【００１４】
図１４は、参考例によるバルブを示す概略図である。
【００１５】
図１４に示すように、隔壁１１０には、複数の通気孔１１２が形成されている。通気孔１１２が形成された隔壁１１０には、シート状の弁体１１４が取り付けられている。シート状の弁体１１４の一端は、隔壁１１０に固定されている。
【００１６】
こうして、参考例によるバルブ１０２が形成されている。
【００１７】
バルブ１０２が閉じると、シート状の弁体１１４と隔壁１１０とが接することとなるが、結露した水分が、シート状の弁体１１４と隔壁１１０との間に挟まれる場合がある。シート状の弁体１１４と隔壁１１０との間に水が挟まれた状態になると、水の表面張力によりシート状の弁体１１４と隔壁１１０とが貼り付いてしまい、バルブ１０２が開きにくくなる。
【００１８】
従って、図１４に示すような参考例によるバルブ１０２は、必ずしも正常に動作し得ない場合がある。
【００１９】
［第１実施形態］
第１実施形態によるバルブを図１及び図２を用いて説明する。図１は、本実施形態によるバルブを示す断面図及び平面図である。図１（ｂ）は、平面図であり、図１（ａ）は、図１（ｂ）のＡ−Ａ′線断面図である。図２は、本実施形態によるバルブの動作を示す断面図である。
【００２０】
図１に示すように、隔壁（壁、壁面、仕切り、仕切り壁）１０には、複数の通気孔１２が形成されている。隔壁１０としては、例えば、後述するヒートポンプの吸着器（吸着室、脱吸着器、脱吸着室）２４，２６と凝縮器（凝縮室）２８との間の隔壁１０や、吸着器２４，２６と蒸発器（蒸発室）３０との間の隔壁１０等が挙げられる。通気孔１２の径は、例えば１０ｍｍ程度とする。通気孔１２の数は、例えば１８個程度とする。隔壁１０の厚さは、例えば５ｍｍ程度である。隔壁１０の材料としては、例えばアルミニウム等が用いられている。
【００２１】
隔壁１０には、通気孔１２を開閉するためのシート状の弁体１４が取り付けられている。より具体的には、シート状の弁体１４の片側の端部（一端）が、台座（固定部材）１６を介して隔壁１０に固定されている。台座１６は、例えば接着剤等により隔壁１０に固定されている。台座１６及び隔壁１０には、ねじ穴が形成されており、シート状の弁体１４は、例えば、ねじ１８により、台座１６を介して隔壁１０に固定されている。台座１６の高さは、例えば１〜３ｍｍ程度とする。台座１６の材料としては、例えばアルミニウムが用いられている。
【００２２】
弁体１４には、隔壁１０に形成された複数の通気孔１２の縁（縁部）２０に当接可能な凸部（突起）２２が形成されている。凸部２２は、複数の通気孔２０に対応するように形成されている。凸部２２の形状は、例えば半球殻状（半球状）である。弁体１４の主面に平行な方向における凸部２２の寸法は、通気孔１２の径より大きく設定されている。
【００２３】
弁体１４の外径寸法は、例えば、１０ｃｍ×１０ｃｍ程度とする。弁体１４の厚さは、例えば０．５ｍｍ程度とする。弁体１４の材料としては、例えば樹脂等が用いられている。かかる樹脂としては、例えばＰＥＴ（PolyEthylene Terephthalate）等が用いられている。
【００２４】
こうして、本実施形態によるバルブ（蒸気バルブ、気体バルブ）２が形成されている。
【００２５】
次に、本実施形態によるバルブの動作について図２を用いて説明する。
【００２６】
弁体１４が配されていない側（図２（ａ）における紙面下側）の圧力が、弁体１４が配されている側（図２（ａ）における紙面上側）の圧力に対して、低くなっている場合又は等しい場合には、図２（ａ）に示すように、バルブ２は閉じた状態となる。即ち、弁体１４の凸部２２が通気孔１２の縁２０に当接した状態となり、弁体１４の凸部２２により通気孔１２が塞がれた状態となる（閉状態、閉塞状態）。図２（ａ）に示すように、弁体１４のうちの凸部２２を除く部分は隔壁１０に接触せず、弁体１４のうちの凸部２２の一部だけが通気孔１２の縁２０に接する。通気孔１２の縁２０を除く部分において弁体１４と隔壁１０とが接触せず、通気孔１２の縁２０を除く部分においては弁体１４と隔壁１０との間に間隙が存在した状態となるため、弁体１４が隔壁１０に貼り付いてしまうのを防止することができる。
【００２７】
弁体１４が配されている側（図２（ｂ）における紙面上側）の圧力が、弁体１４が配されていない側（図２（ｂ）における紙面下側）の圧力より低くなっている場合、即ち、負圧となっている場合には、図２（ｂ）に示すような状態となる。即ち、弁体１４が配されていない側から弁体１４が配されている側に向かって気体（蒸気）が流動するため、これに伴い、弁体１４の一端を支点として、弁体１４の他端側が図２（ｂ）における紙面上側に撓む。これにより、弁体１４の凸部２２が通気孔１２の縁２０に接していない状態となり、バルブ２が開いた状態（開状態、開放状態）となる。
【００２８】
このように、本実施形態によれば、隔壁１０に形成された通気孔１２を開閉する弁体１４に、通気孔１２の縁２０に当接可能な凸部２２が形成されている。このため、本実施形態によれば、弁体１４のうちの凸部２２を除く部分を隔壁１０に接触させることなく、バルブ２を閉じた状態にすることができる。このため、本実施形態によれば、弁体１４が隔壁１０に貼り付いてしまうのを防止することができ、ひいては、信頼性の高い簡便な構造のバルブ２を提供することができる。
【００２９】
［第２実施形態］
第２実施形態によるバルブを図３乃至図４を用いて説明する。図３は、本実施形態によるバルブを示す断面図及び平面図である。図３（ｂ）は、平面図であり、図３（ａ）は、図３（ｂ）のＡ−Ａ′線断面図である。図４は、本実施形態によるバルブの動作を示す断面図である。図１及び図２に示す第１実施形態によるバルブと同一の構成要素には、同一の符号を付して説明を省略または簡潔にする。
【００３０】
本実施形態によるバルブ（蒸気バルブ、気体バルブ）２ａは、弁体１４ａの両側の端部が台座１６を介して隔壁１０に固定されているものである。
【００３１】
図３に示すように、弁体１４ａの両側の端部が、台座１６を介して、それぞれ隔壁１０に固定されている。このため、本実施形態では、弁体１４ａの両端が、それぞれ台座１６を介して隔壁１０により支持される。
【００３２】
本実施形態のように弁体１４ａの両端を隔壁１０に固定する場合には、弁体１４ａが伸張可能（伸張自在）であることが好ましい。弁体１４ａが伸張可能でない場合には、バルブ２ａが開かなくなる虞があるためである。このため、本実施形態では、弁体１４ａの材料として、例えば、伸張可能な樹脂を用いる。伸縮可能な樹脂としては、例えば、シリコーン（silicone）等が挙げられる。
【００３３】
弁体１４が配されていない側（図４（ａ）における紙面下側）の圧力が、弁体１４が配されている側（図４（ａ）における紙面上側）の圧力に対して、低くなっている場合又は等しい場合には、図４（ａ）に示すように、バルブ２ａは閉じた状態となる。即ち、弁体１４ａの凸部２２が通気孔１２の縁２０に当接した状態となり、弁体１４ａの凸部２２により通気孔１２が塞がれた状態となる。図４（ａ）に示すように、本実施形態においても、弁体１４ａのうちの凸部２２を除く部分は隔壁１０に接触せず、弁体１４ａのうちの凸部２２の一部だけが通気孔１２の縁２０に接する。通気孔１２の縁２０を除く部分において弁体１４ａと隔壁１０とが接触しないため、本実施形態においても、弁体１４ａが隔壁１０に貼り付いてしまうのを防止することができる。
【００３４】
弁体１４ａが配されている側（図４（ｂ）における紙面上側）の圧力が、弁体１４ａが配されていない側（図４（ｂ）における紙面下側）の圧力より低くなっている場合には、図４（ｂ）に示すような状態となる。即ち、弁体１４ａが配されていない側から弁体１４ａが配されている側に向かって気体（蒸気）が流動し、これに伴い、弁体１４ａが伸張する。これにより、弁体１４ａの凸部２２が通気孔１２の縁２０に接していない状態となり、バルブ２ａが開いた状態（開状態、開放状態）となる。
【００３５】
このように、弁体１４ａの両端を隔壁１０に固定するようにしてもよい。弁体１４ａの両端を隔壁１０に固定すれば、隔壁１０の下面側に弁体１４ａを配した場合であっても、弁体１４ａが重力により開いた状態となってしまうことはない。従って、本実施形態によれば、隔壁１０の下面側に弁体１４ａを配することも可能となる。
【００３６】
［第３実施形態］
第３実施形態によるヒートポンプ及び情報処理システムを図５乃至図７を用いて説明する。図５は、本実施形態によるヒートポンプ及び情報処理システムを示す概略図である。図６は、本実施形態によるヒートポンプ及び情報処理システムの動作を示す概略図（その１）である。図７は、本実施形態によるヒートポンプ及び情報処理システムの動作を示す概略図（その２）である。図１乃至図４に示す第１又は第２実施形態によるバルブと同一の構成要素には、同一の符号を付して説明を省略または簡潔にする。
【００３７】
図５に示すように、本実施形態によるヒートポンプ（吸着式ヒートポンプ）４は、一対の吸着器（吸着室、脱吸着器、脱吸着室）２４，２６と、凝縮器（凝縮室）２８と、蒸発器（蒸発室）３０とを有している。これら吸着器２４，２６、凝縮器２８及び蒸発器３０は、隔壁（仕切壁）１０により仕切られたケーシング（真空容器）３２内に設けられている。一対の吸着器２４，２６のうちの一方である第１の吸着器２４は、例えばケーシング３２の左室に設けられている。一対の吸着器２４，２６のうちの他方である第２の吸着器２６は、例えばケーシング３２の右室に設けられている。凝縮器２８は、例えば、ケーシング３２の上下に仕切られた中室のうちの上側の室に設けられている。蒸発器３０は、ケーシング３２の中室のうちの下側の室に設けられている。ケーシング３２内は、全体として所定の真空度に設定されている。ケーシング３２内には、冷媒３４が収容されている。かかる冷媒３４としては、例えば水が用いられている。
【００３８】
各々の吸着器２４，２６内には、吸着剤３６が配されている。かかる吸着剤３６は、通気性が確保されたケース（図示せず）内に収容されている。吸着剤３６としては、例えばシリカゲルや活性炭等が用いられている。吸着器２４，２６には、吸着剤３６を冷却又は加熱するための熱媒流体（流体）が流通する熱交換流路（熱交換パイプ）３８，４０がそれぞれ設けられている。かかる熱交換流路３８，４０は、ケーシング３２の気密性を保持しつつ、ケーシング３２の外壁を貫通している。熱交換流路３８，４０内を流通する熱媒流体としては、例えば水が用いられている。吸着室２４，２６内に配された吸着剤３６は、冷却されている際（冷却状態）においては、気体になっている冷媒（気冷媒、蒸気冷媒）を吸着する（吸着過程、吸着工程）。一方、吸着剤３６は、加熱されている際（加熱状態）においては、吸着した冷媒を脱着し（脱着過程、脱着工程）、吸着能力を再生する。
【００３９】
吸着器２４，２６と凝縮器２８との間の隔壁１０には、図１を用いて上述した複数の通気孔１２と同様の複数の通気孔１２が形成されている。なお、図５乃至図７においては、通気孔１２を概念的に示しており、実際の通気孔１２は図１に示すようになっている。
【００４０】
また、吸着器２４，２６と凝縮器２８との間の隔壁１０には、図１を用いて上述した弁体１４と同様の弁体１４が取り付けられている。なお、図５乃至図７においては、弁体１４を概念的に示しており、実際の弁体１４は図１に示すようになっている。弁体１４は、吸着器２４，２６と凝縮器２８との間の隔壁１０における凝縮器２８側の面に取り付けられている。
【００４１】
吸着器２４，２６と凝縮器２８との間の隔壁１０の面の方向は、例えば鉛直方向となっている。吸着器２４，２６と凝縮器２８との間に差圧が生じていない際に、重力により弁体１４が閉じるようにするため、通気孔１２が形成されている箇所の上部において、弁体１４の一端が台座１６を介して隔壁１０に固定されている。
【００４２】
こうして、吸着器２４，２６と凝縮器２８との間の隔壁１０には、図１を用いて上述したバルブ２と同様のバルブ２が設けられている。
【００４３】
バルブ２は差圧（圧力差）によって開閉するものである。弁体１４が配されている側の圧力が弁体１４が配されていない側の圧力より低い場合には、バルブ２は開いた状態となる（開状態、開放状態）。一方、弁体１４が配されている側の圧力が弁体１４が配されていない側の圧力より高い場合には、バルブ２は閉じた状態となる（閉状態、閉塞状態）。
【００４４】
凝縮器２８は、脱着過程にある吸着器２４，２６から凝縮器２８内に供給される気相状態の冷媒（気冷媒、冷媒蒸気）を凝縮させて液層状態の冷媒（液冷媒）とするものである。凝縮器２８には、凝縮器２８内を冷却するための熱媒流体（冷却流体）が流通する熱交換流路（熱交換パイプ）４２が設けられている。かかる熱交換流路４２は、ケーシング３２の気密性を保持しつつ、ケーシング３２の外壁を貫通している。熱交換流路４２を流通する熱媒流体としては、例えば水が用いられている。凝縮器２８により凝縮された冷媒３４は、図５に示すように、凝縮器２８内に貯留される。
【００４５】
凝縮器２８と蒸発器３０とは、例えば細管４４により接続されている。凝縮器２８内に貯留された液冷媒３４の一部は、細管４４を通って蒸発器３０に供給される。
【００４６】
蒸発器３０は、液冷媒３４が蒸発して気冷媒になる際の気化熱を利用して、蒸発器３０内に貯留された液冷媒３４を冷却するとともに、吸着過程にある吸着器２４，２６に気冷媒を供給するものである。蒸発器３０には、熱媒流体（流体）が流通する熱交換流路（熱交換パイプ）４６が設けられている。熱交換流路４６は、ケーシング３２の気密性を保持しつつ、ケーシング３２の外壁を貫通している。熱交換流路４６を流通する熱媒流体としては、例えば水が用いられている。熱交換流路４６の少なくとも一部は、蒸発器３０内に貯留された液冷媒３４に接しており、これにより、熱交換流路４６内を流通する熱媒流体が、冷却された液冷媒３４により冷却される。
【００４７】
吸着器２４，２６と蒸発器３０との間の隔壁１０には、図１を用いて上述した複数の通気孔１２と同様の複数の通気孔１２が形成されている。また、吸着器２４，２６と蒸発器３０との間の隔壁１０には、図１を用いて上述した弁体１４と同様の弁体１４が取り付けられている。弁体１４は、吸着器２４，２６と蒸発器３０との間の隔壁１０における吸着器２４，２６側の面に取り付けられている。
【００４８】
吸着器２４，２６と蒸発器３０との間の隔壁１０の面の方向は、例えば鉛直方向となっている。吸着器２４，２６と蒸発器３０との間に差圧が生じていない際に、重力により弁体１４が閉じるようにするため、通気孔１２が形成されている箇所の上部において、弁体１４の一端が台座１６を介して隔壁１０に固定されている。
【００４９】
こうして、吸着器２４，２６と蒸発器３０との間の隔壁１０には、図１を用いて上述したバルブ２と同様のバルブ２が設けられている。
【００５０】
吸着器２４，２６内を加熱又は冷却するための熱媒流体の流路は、四方弁４８，５０により切り換えることができるようになっている。
【００５１】
発熱体（熱源）７８により加熱された熱媒流体を送出するための配管５４は、第１の四方弁４８の第１の入口ポートＩＰ１に接続されている。配管５４には、熱媒流体を送出するためのポンプ５６が設けられている。発熱体７８は、本実施形態による情報処理システムに用いられている情報機器５２内に配されているＣＰＵ（Central Processing Unit）等である。かかる情報機器５２としては、例えばサーバ装置等が挙げられる。例えば基板７７上に実装された発熱体７８には、コールドプレート（熱交換器）８０が取り付けられており、コールドプレート８０内の流路を熱媒流体が流れるようになっている。
【００５２】
なお、発熱体７８により加熱される前の熱媒流体の温度は、例えば４５〜５５℃程度であり、発熱体７８により加熱された後の熱媒流体の温度は、例えば５０〜６０℃程度である。
【００５３】
冷却部（放熱体、放熱器）５８により冷却された熱媒流体を送出するための配管６０は、第１の四方弁４８の第２の入口ポートＩＰ２に接続されている。冷却部５８は、例えばクーリングタワー（冷却塔）である。配管６０には、熱媒流体を送出するためのポンプ６２が設けられている。
【００５４】
なお、冷却塔５８によって冷却される前の熱媒流体の温度は、例えば２５〜３５℃程度であり、冷却塔５８によって冷却された後の熱媒流体の温度は、例えば２０〜３０℃程度である。
【００５５】
第１の四方弁４８の第２の出口ポートＯＰ２は、配管６４を介して、第１の吸着器２４に設けられた熱交換流路３８の一端に接続されている。第１の四方弁４８の第１の出口ポートＯＰ１は、配管６６を介して、第２の吸着器２６に設けられた熱交換流路４０の一端に接続されている。
【００５６】
第１の吸着器２４に設けられた熱交換流路３８の他端は、配管６８を介して、第２の四方弁５０の第１の入口ポートＩＰ１に接続されている。第２の吸着器２６に設けられた熱交換流路４０の他端は、配管７０を介して、第２の四方弁５０の第２の入口ポートＩＰ２に接続されている。
【００５７】
第２の四方弁５０の第１の出口ポートＯＰ１は、冷却塔５８に熱媒流体を戻すための配管７２に接続されている。第２の四方弁５０の第２の出口ポートＯＰ２は、発熱体７８に熱媒流体を戻すための配管７４に接続されている。
【００５８】
凝縮器２８に設けられた熱交換流路４２の一端は、冷却塔５８により冷却された熱媒流体を送出するための配管６０に接続されている。また、凝縮器２８に設けられた熱交換流路４２の他端は、冷却塔５８に熱媒流体を戻すための配管７２に接続されている。
【００５９】
四方弁４８，５０は、図示しない制御部により、所定時間毎に切り換えられる。
【００６０】
蒸発器３０に設けられた熱交換流路４６は、空調装置７６に接続されている。空調装置７６は、本実施形態による情報処理システムが配されている室内の空調を行うものである。空調装置７６は、例えばドライコイルが設けられている。空調装置７６は、蒸発器３０に設けられた熱交換流路４６において冷却される熱媒流体の冷熱を利用して、本実施形態による情報処理システムが配されている室内の冷却を行う。具体的には、例えば、サーバ等の情報機器５２により加熱された空気が、ファン（図示せず）等によりデータセンタ内を循環するようになっており、データセンタ内を循環する空気が、例えばドライコイルにより冷却される。
【００６１】
蒸発器３０に設けられた熱交換流路４６において冷却された後の熱媒流体の温度、換言すれば、本実施形態によるヒートポンプ４により得られる冷熱の温度は、例えば１５℃程度である。蒸発器３０に設けられた熱交換流路４６において冷却される前の熱媒流体の温度は、例えば１８℃程度である。
【００６２】
次に、本実施形態によるヒートポンプの動作について、図６及び図７を用いて説明する。
【００６３】
図６は、各々の四方弁４８，５０において、第１の入口ポートＩＰ１と第１の出口ポートＯＰ１とを接続し、第２の入口ポートＩＰ２と第２の出口ポートＯＰ２とを接続した場合を示している。
【００６４】
各々の四方弁４８，５０をこのように設定した場合には、冷却塔５８により冷却された熱媒流体、即ち、冷却流体が、第１の四方弁４８の第２の入口ポートＩＰ２及び第２の出口ポートＯＰ２を経由して、第１の吸着器２４に設けられた熱交換流路３８に達する。冷却流体は、第１の吸着器２４内において吸着剤３６を冷却し、第２の四方弁５０の第１の入口ポートＩＰ１及び第１の出口ポートＯＰ１を経由して、冷却塔５８に戻される。冷却塔５８に戻された熱媒流体は、冷却塔５８により再度冷却された後、ポンプ６２により再度送出される。第１の吸着器２４内に設けられた吸着剤３６は、このようにして循環する冷却流体により冷却される。このため、第１の吸着器２４は吸着過程となる。
【００６５】
一方、発熱体７８により加熱された熱媒流体、即ち、加熱流体は、第１の四方弁４８の第１の入口ポートＩＰ１及び第１の出口ポートＯＰ１を経由して、第２の吸着器２６に設けられた熱交換流路４０に達する。加熱流体は、第２の吸着器２６内において吸着剤３６を加熱し、第２の四方弁５０の第２の入口ポートＩＰ２及び第２の出口ポートＯＰ２を経由して、発熱体７８に戻される。第２の吸着器２６内に設けられた吸着剤３６は、このようにして循環する加熱流体により加熱される。このため、第２の吸着器２６は脱着過程となる。
【００６６】
吸着過程となる第１の吸着器２４においては、吸着剤３６の周囲の気冷媒が吸着剤３６に吸着されるため、圧力が低下する。第１の吸着器２４内の圧力は、蒸発器３０内の圧力よりも低くなり、また、凝縮器２８内の圧力よりも低くなる。第１の吸着器２４と蒸発器３０との間の隔壁１０においては、バルブ２の弁体１４が第１の吸着器２４側の面に配されているため、バルブ２は開いた状態となる。一方、第１の吸着器２４と凝縮器２８との間の隔壁においては、バルブ２の弁体１４が凝縮器２８側の面に配されているため、バルブ２は閉じた状態となる。
【００６７】
第１の吸着器２４と蒸発器３０との間の隔壁１０に設けられたバルブ２が開いた状態となるため、蒸発器３０において気化した気冷媒は、バルブ２を介して第１の吸着器２４内に流入し、第１の吸着器２４の吸着剤３６に吸着されていく。この際、蒸発器３０内においては、液冷媒が気化する際の気化熱により、蒸発器３０内に貯留されている液冷媒が冷却され、これに伴い、熱交換流路４６内の熱媒流体が冷却される。
【００６８】
なお、第１の吸着器２４と凝縮器２８との間の隔壁１０に設けられたバルブ２は閉じた状態となっているため、凝縮器２８内の気冷媒が第１の吸着器２４側に流入してしまうことはない。
【００６９】
一方、脱着過程となる第２の吸着器２６においては、吸着剤３６が加熱されるため、吸着剤３６に吸着されていた冷媒が脱着され、圧力が上昇する。第２の吸着器２６内の圧力は、凝縮器２８の圧力よりも高くなり、また、蒸発器３０内の圧力よりも高くなる。第２の吸着器２６と凝縮器２８との間の隔壁１０においては、バルブ２の弁体１４が凝縮器２８側の面に配されているため、バルブ２は開いた状態となる。一方、第２の吸着器２６と蒸発器３０との間の隔壁１０においては、バルブ２が第２の吸着器２６側の面に配されているため、バルブ２は閉じた状態となる。
【００７０】
第２の吸着器２６と凝縮器２８との間の隔壁１０に設けられたバルブ２が開いた状態となるため、第２の吸着器２６から脱着された気冷媒は、バルブ２を介して凝縮器２８内に流入する。これに伴い、第２の吸着器２６内の吸着剤３６の吸着能力が再生されていく。凝縮器２８内においては、第２の吸着器２６からバルブ２を介して供給される気冷媒が凝縮されて液冷媒となる。かかる液冷媒３４は、凝縮器２８内に貯留される。凝縮器２８内に貯留された液冷媒３４の一部は、細管４４を通って蒸発器３０内に供給される。
【００７１】
なお、第２の吸着器２６と蒸発器３０との間の隔壁１０に設けられたバルブ２は閉じた状態となっているため、第２の吸着器２６から脱着された気冷媒が蒸発器３０内に流入することはない。
【００７２】
第１の吸着器２４においては、吸着が進行していくため、第１の吸着器２４の吸着剤３６の吸着能力は徐々に低くなっていく。一方、第２の吸着器２６においては、脱着が進行していくため、第２の吸着器２６の吸着剤３６の吸着能力は再生されていく。従って、第１の吸着器２４の吸着剤３６の吸着能力が過度に低くなる前の段階で、第１の吸着器２４を吸着過程から脱着過程に切り換え、第２の吸着器２６を脱着過程から吸着過程に切り換える。かかる切り換えは、四方弁４８，５０を切り換えることにより行うことができる。具体的には、第１の入口ポートＩＰ１と第２の出口ポートＯＰ２とが接続され、第２の入口ポートＩＰ２と第１の出口ポートＯＰ１とが接続されるように、四方弁４８，５０を切り換える。四方弁４８，５０の切り換えは、図示しない制御部（ＣＰＵ）により制御される。
【００７３】
図７は、各々の四方弁４８，５０において、第１の入口ポートＩＰ１と第２の出口ポートＯＰ２とを接続し、第２の入口ポートＩＰ２と第１の出口ポートＯＰ１とを接続した場合を示している。
【００７４】
各々の四方弁４８，５０をこのように設定した場合には、冷却塔５８により冷却された熱媒流体、即ち、冷却流体が、第１の四方弁４８の第２の入口ポートＩＰ２及び第１の出口ポートＯＰ１を経由して、第２の吸着器２６に設けられた熱交換流路４０に達する。冷却流体は、第２の吸着器２６内において吸着剤３６を冷却し、第２の四方弁５０の第２の入口ポートＩＰ２及び第１の出口ポートＯＰ１を経由して、冷却塔５８に戻される。冷却塔５８に戻された熱媒流体は、冷却塔５８により再度冷却された後、ポンプ６２により再度送出される。第２の吸着器２６内に設けられた吸着剤３６は、このようにして循環する冷却流体により冷却される。このため、第２の吸着器２６は吸着過程となる。
【００７５】
一方、発熱体７８により加熱された熱媒流体、即ち、加熱流体は、第１の四方弁４８の第１の入口ポートＩＰ１及び第２の出口ポートＯＰ２を経由して、第１の吸着器２４に設けられた熱交換流路３８に達する。加熱流体は、第１の吸着器２４内において吸着剤３６を加熱し、第２の四方弁５０の第１の入口ポートＩＰ１及び第２の出口ポートＯＰ２を経由して、発熱体７８に戻される。第１の吸着器２４内に設けられた吸着剤３６は、このようにして循環する加熱流体により加熱される。このため、第１の吸着器２４は脱着過程となる。
【００７６】
吸着過程となる第２の吸着器２６においては、吸着剤３６の周囲の気冷媒が吸着剤３６に吸着されるため、圧力が低下する。第２の吸着器２６内の圧力は、蒸発器３０内の圧力よりも低くなり、また、凝縮器２８内の圧力よりも低くなる。第２の吸着器２６と蒸発器３０との間の隔壁１０においては、バルブ２の弁体１４が第２の吸着器２６側の面に配されているため、バルブ２は開いた状態となる。一方、第２の吸着器２６と凝縮器２８との間の隔壁においては、バルブ２の弁体１４が凝縮器２８側の面に配されているため、バルブ２は閉じた状態となる。
【００７７】
第２の吸着器２６と蒸発器３０との間の隔壁１０に設けられたバルブ２が開いた状態となるため、蒸発器３０において気化した気冷媒は、バルブ２を介して第２の吸着器２６内に流入し、第２の吸着器２６の吸着剤３６に吸着されていく。この際、蒸発器３０内においては、液冷媒が気化する際の気化熱により、蒸発器３０内に貯留されている液冷媒が冷却され、これに伴い、熱交換流路４６内の熱媒流体が冷却される。
【００７８】
なお、第２の吸着器２６と凝縮器２８との間の隔壁１０に設けられたバルブ２は閉じた状態となっているため、凝縮器２８内の気冷媒が第２の吸着器２６側に流入してしまうことはない。
【００７９】
一方、脱着過程となる第１の吸着器２４においては、吸着剤３６が加熱されるため、吸着剤３６に吸着されていた冷媒が脱着され、圧力が上昇する。第１の吸着器２４内の圧力は、凝縮器２８の圧力よりも高くなり、また、蒸発器３０内の圧力よりも高くなる。第１の吸着器２４と凝縮器２８との間の隔壁１０においては、バルブ２の弁体１４が凝縮器２８側の面に配されているため、バルブ２は開いた状態となる。一方、第１の吸着器２４と蒸発器３０との間の隔壁１０においては、バルブ２が第１の吸着器２４側の面に配されているため、バルブ２は閉じた状態となる。
【００８０】
第１の吸着器２４と凝縮器２８との間の隔壁１０に設けられたバルブ２が開いた状態となるため、第１の吸着器２４から脱着された気冷媒は、バルブ２を介して凝縮器２８内に流入する。これに伴い、第１の吸着器２４内の吸着剤３６の吸着能力が再生されていく。凝縮器２８内においては、第１の吸着器２４からバルブ２を介して供給される気冷媒が凝縮されて液冷媒となる。かかる液冷媒３４は、凝縮器２８内に貯留される。凝縮器２８内に貯留された液冷媒３４の一部は、細管４４を通って蒸発器３０内に供給される。
【００８１】
なお、第１の吸着器２４と蒸発器３０との間の隔壁１０に設けられたバルブ２は閉じた状態となっているため、第１の吸着器２４から脱着された気冷媒が蒸発器３０内に流入することはない。
【００８２】
第２の吸着器２６においては、吸着が進行していくため、第２の吸着器２６の吸着剤３６の吸着能力は徐々に低くなっていく。一方、第１の吸着器２４においては、脱着が進行していくため、第１の吸着器２４の吸着剤３６の吸着能力は再生されていく。従って、第２の吸着器２６の吸着剤３６の吸着能力が過度に低くなる前の段階で、第２の吸着器２６を吸着過程から脱着過程に切り換え、第１の吸着器２４を脱着過程から吸着過程に切り換える。具体的には、第１の入口ポートＩＰ１と第１の出口ポートＯＰ１とが接続され、第２の入口ポートＩＰ２と第２の出口ポートＯＰ２とが接続されるように、四方弁４８，５０を切り換える。
【００８３】
このようにして、四方弁４８，５０の設定の切り換えが、所定時間を経過する毎に行われ、一対の吸着器２４，２６において、吸着過程と脱着過程とに交互に切り換えられる。一対の吸着器２４，２６において吸着過程と脱着過程とを交互に切り換えられるため、蒸発器３０に設けられた熱交換流路４６を流れる熱媒流体を連続的に冷却することができ、ひいては空調装置７６の冷却能力を連続的に維持することができる。
【００８４】
このように、本実施形態によれば、通気孔１２の縁２０に当接可能な凸部２２がシート状の弁体１４に形成されたバルブ２が、吸着器２４，２６と凝縮器２８との間の隔壁１０や吸着器２４，２６と蒸発器３０との間の隔壁１０に取り付けられている。このため、本実施形態によれば、弁体１４のうちの凸部２２を除く部分を隔壁１０に接触させることなく、バルブ２を閉じた状態にすることができる。このため、本実施形態によれば、バルブ２の弁体１４が隔壁１０に貼り付いてしまうのを防止することができ、ひいては、信頼性の高いヒートポンプ４を提供することができる。そして、本実施形態によれば、情報機器５２のＣＰＵ等の発熱体７８から発せられる廃熱（温熱）を用いて得られる冷熱を、空調に用いることができるため、省エネルギー化に寄与することができる。
【００８５】
［第４実施形態］
第４実施形態によるヒートポンプ及び情報処理システムを図８乃至図１０を用いて説明する。図８は、本実施形態によるヒートポンプ及び情報処理システムを示す概略図である。図９は、本実施形態によるヒートポンプ及び情報処理システムの動作を示す概略図（その１）である。図１０は、本実施形態によるヒートポンプ及び情報処理システムの動作を示す概略図（その２）である。図１乃至図７に示す第１乃至第３実施形態によるバルブ、ヒートポンプ及び情報処理システムと同一の構成要素には、同一の符号を付して説明を省略または簡潔にする。
【００８６】
本実施形態によるヒートポンプ４ａは、バルブが設けられる隔壁１０の面が斜めになっているものである。
【００８７】
図８に示すように、吸着器２４，２６と凝縮器２８との間における斜めの隔壁１０には、図１を用いて上述した複数の通気孔１２と同様の複数の通気孔１２が形成されている。吸着器２４，２６と凝縮器２８との間の斜めの隔壁１０における上面側は、凝縮器２８側である。吸着器２４，２６と凝縮器２８との間の斜めの隔壁１０における下面側は、吸着器２４，２６側である。なお、図８乃至図１０においては、通気孔１２を概念的に示しており、実際の通気孔１２は図１に示すようになっている。
【００８８】
また、吸着器２４，２６と凝縮器２８との間における斜めの隔壁１０には、図１を用いて上述した弁体１４と同様の弁体１４が取り付けられている。なお、図８乃至図１０においては、弁体１４を概念的に示しており、実際の弁体１４は図１に示すようになっている。弁体１４は、吸着器２４，２６と凝縮器２８との間の斜めの隔壁１０における凝縮器２８側の面に取り付けられている。吸着器２４，２６と凝縮器２８との間に差圧が生じていない際に、重力により弁体１４が閉じるようにするため、通気孔１２が形成されている箇所の上部において、弁体１４の一端が台座１６を介して斜めの隔壁１０に固定されている。
【００８９】
こうして、吸着器２４，２６と凝縮器２８との間の隔壁１０には、図１を用いて上述したバルブ２と同様のバルブ２が設けられている。
【００９０】
また、吸着器２４，２６と蒸発器３０との間における斜めの隔壁１０には、図１を用いて上述した複数の通気孔１２と同様の複数の通気孔１２が形成されている。吸着器２４，２６と蒸発器３０との間の斜めの隔壁１０における上面側は、吸着器２４，２６側である。吸着器２４，２６と蒸発器３０との間の斜めの隔壁１０における下面側は、蒸発器３０側である。
【００９１】
また、吸着器２４，２６と蒸発器３０との間の斜めの隔壁１０には、図１を用いて上述した弁体１４と同様の弁体１４が取り付けられている。弁体１４は、吸着器２４，２６と蒸発器３０との間の隔壁１０における吸着器２４，２６側の面に取り付けられている。吸着器２４，２６と蒸発器３０との間に差圧が生じていない際に、重力により弁体１４が閉じるようにするため、通気孔１２が形成されている箇所の上部において、弁体１４の一端が台座１６を介して斜めの隔壁１０に固定されている。こうして、吸着器２４，２６と蒸発器３０との間の斜めの隔壁１０には、図１を用いて上述したバルブ２と同様のバルブ２が設けられている。
【００９２】
次に、本実施形態によるヒートポンプ４ａの動作について、図９及び図１０を用いて説明する。
【００９３】
図９は、各々の四方弁４８，５０において、第１の入口ポートＩＰ１と第１の出口ポートＯＰ１とを接続し、第２の入口ポートＩＰ２と第２の出口ポートＯＰ２とを接続した場合を示している。
【００９４】
各々の四方弁４８，５０をこのように設定した場合には、第３実施形態によるヒートポンプ４と同様に、第１の吸着器２４は冷却流体により冷却されて吸着過程となり、第２の吸着器２６は加熱流体により加熱されて脱着過程となる。
【００９５】
第１の吸着器２４と蒸発器３０との間の隔壁１０においては、第３実施形態によるヒートポンプ４と同様に、第１の吸着器２４内の圧力が蒸発器３０内の圧力よりも低くなるため、バルブ２が開いた状態となる。一方、第１の吸着器２４と凝縮器２８との間の隔壁１０においては、第３実施形態によるヒートポンプ４と同様に、第１の吸着器２４内の圧力が凝縮器２８内の圧力よりも低くなるため、バルブ２は閉じた状態となる。
【００９６】
第２の吸着器２６と凝縮器２８との間の隔壁１０においては、第３実施形態によるヒートポンプ４と同様に、第２の吸着器２６内の圧力が凝縮器２８内の圧力よりも高くなるため、バルブ２が開いた状態となる。一方、第２の吸着器２６と蒸発器３０との間の隔壁１０においては、第３実施形態によるヒートポンプ４と同様に、第２の吸着器２６内の圧力が蒸発器３０内の圧力よりも高くなるため、バルブ２は閉じた状態となる。
【００９７】
従って、本実施形態によるヒートポンプ４ａも、第３実施形態によるヒートポンプ４と同様に動作する。
【００９８】
図１０は、各々の四方弁４８，５０において、第１の入口ポートＩＰ１と第２の出口ポートＯＰ２とを接続し、第２の入口ポートＩＰ２と第１の出口ポートＯＰ１とを接続した場合を示している。
【００９９】
各々の四方弁４８，５０をこのように設定した場合には、第３実施形態によるヒートポンプ４と同様に、第１の吸着器２４は加熱流体により加熱されて脱着過程となり、第２の吸着器２６は冷却流体により冷却されて吸着過程となる。
【０１００】
第１の吸着器２４と蒸発器３０との間の隔壁１０においては、第３実施形態によるヒートポンプ４と同様に、第１の吸着器２４内の圧力が蒸発器３０内の圧力よりも高くなるため、バルブ２が閉じた状態となる。一方、第１の吸着器２４と凝縮器２８との間の隔壁１０においては、第３実施形態によるヒートポンプ４と同様に、第１の吸着器２４内の圧力が凝縮器２８内の圧力よりも高くなるため、バルブ２は開いた状態となる。
【０１０１】
第２の吸着器２６と凝縮器２８との間の隔壁１０においては、第３実施形態によるヒートポンプ４と同様に、第２の吸着器２６内の圧力が凝縮器２８内の圧力よりも低くなるため、バルブ２が閉じた状態となる。一方、第２の吸着器２６と蒸発器３０との間の隔壁１０においては、第３実施形態によるヒートポンプ４と同様に、第２の吸着器２６内の圧力が蒸発器３０内の圧力よりも低くなるため、バルブ２は開いた状態となる。
【０１０２】
従って、本実施形態によるヒートポンプ４ａも、第３実施形態によるヒートポンプ４と同様に動作する。
【０１０３】
このように、バルブ２が斜めの隔壁１０に設けられていてもよい。本実施形態のようにバルブ２を斜めの隔壁１０に設けた場合にも、バルブ２は正常に動作し得る。
【０１０４】
［第５実施形態］
第５実施形態によるヒートポンプ及び情報処理システムを図１１乃至図１３を用いて説明する。図１１は、本実施形態によるヒートポンプ及び情報処理システムを示す概略図である。図１２は、本実施形態によるヒートポンプ及び情報処理システムの動作を示す概略図（その１）である。図１３は、本実施形態によるヒートポンプ及び情報処理システムの動作を示す概略図（その２）である。図１乃至図１０に示す第１乃至第４実施形態によるバルブ、ヒートポンプ及び情報処理システムと同一の構成要素には、同一の符号を付して説明を省略または簡潔にする。
【０１０５】
本実施形態によるヒートポンプ４ｂは、バルブ２ａが設けられる隔壁１０の面が水平になっているものである。
【０１０６】
図１１に示すように、本実施形態では、吸着器２４，２６は、凝縮器２８の上方に位置している。
【０１０７】
吸着器２４，２６と凝縮器２８との間の隔壁１０には、図１を用いて上述した複数の通気孔１２と同様の複数の通気孔１２が形成されている。吸着器２４，２６と凝縮器２８との間の隔壁１０における上面側は、吸着器２４，２６側である。吸着器２４，２６と凝縮器２８との間の隔壁１０における下面側は、凝縮器２８側である。なお、図１１乃至図１３においては、通気孔１２を概念的に示しており、実際の通気孔１２は図１に示すようになっている。
【０１０８】
吸着器２４，２６と凝縮器２８との間における隔壁１０には、図３を用いて上述した第２実施形態によるバルブ２ａの弁体１４ａと同様の弁体１４ａが取り付けられている。なお、図１１乃至図１３においては、弁体１４ａを概念的に示しており、実際の弁体１４ａは図３に示すようになっている。弁体１４ａは、吸着器２４，２６と凝縮器２８との間の隔壁１０における凝縮器２８側の面に取り付けられている。図３に示すように、弁体１４ａの両端が、台座１６を介して隔壁１０に固定されている。弁体１４ａの両端が台座１６を介して隔壁１０に固定されているため、吸着器２４，２６と凝縮器２８との間に差圧が存在しない場合には、弁体１４ａにより通気孔１２が閉じられた状態となる。
【０１０９】
こうして、吸着器２４，２６と凝縮器２８との間の隔壁１０には、図３を用いて上述した第２実施形態によるバルブ２ａと同様のバルブ２ａが設けられている。
【０１１０】
吸着器２４，２６と蒸発器３０との間における隔壁１０には、図１を用いて上述した複数の通気孔１２と同様の複数の通気孔１２が形成されている。吸着器２４，２６と蒸発器３０との間の隔壁１０における上面側は、吸着器２４，２６側である。吸着器２４，２６と蒸発器３０との間の斜めの隔壁１０における下面側は、蒸発器３０側である。
【０１１１】
吸着器２４，２６と蒸発器３０との間の隔壁１０には、図３を用いて上述した第２実施形態によるバルブ２ａの弁体１４ａと同様の弁体１４ａが取り付けられている。弁体１４ａは、吸着器２４，２６と蒸発器３０との間の隔壁１０における吸着器２４，２６側の面に取り付けられている。図３に示すように、弁体１４ａの両端が、台座１６を介して隔壁１０に固定されている。こうして、吸着器２４，２６と蒸発器３０との間の隔壁１０には、図３を用いて上述したバルブ２ａと同様のバルブ２ａが設けられている。
【０１１２】
次に、本実施形態によるヒートポンプ４ｂの動作について、図１２及び図１３を用いて説明する。
【０１１３】
図１２は、各々の四方弁４８，５０において、第１の入口ポートＩＰ１と第１の出口ポートＯＰ１とを接続し、第２の入口ポートＩＰ２と第２の出口ポートＯＰ２とを接続した場合を示している。
【０１１４】
各々の四方弁４８，５０をこのように設定した場合には、第３実施形態によるヒートポンプ４と同様に、第１の吸着器２４は冷却流体により冷却されて吸着過程となり、第２の吸着器２６は加熱流体により加熱されて脱着過程となる。
【０１１５】
第１の吸着器２４と蒸発器３０との間の隔壁１０においては、第３実施形態によるヒートポンプ４と同様に、第１の吸着器２４内の圧力が蒸発器３０内の圧力よりも低くなるため、バルブ２ａが開いた状態となる。一方、第１の吸着器２４と凝縮器２８との間の隔壁１０においては、第３実施形態によるヒートポンプ４と同様に、第１の吸着器２４内の圧力が凝縮器２８内の圧力よりも低くなるため、バルブ２ａは閉じた状態となる。
【０１１６】
第２の吸着器２６と凝縮器２８との間の隔壁１０においては、第３実施形態によるヒートポンプ４と同様に、第２の吸着器２６内の圧力が凝縮器２８内の圧力よりも高くなるため、バルブ２ａが開いた状態となる。一方、第２の吸着器２６と蒸発器３０との間の隔壁１０においては、第３実施形態によるヒートポンプ４と同様に、第２の吸着器２６内の圧力が蒸発器３０内の圧力よりも高くなるため、バルブ２ａは閉じた状態となる。
【０１１７】
従って、本実施形態によるヒートポンプ４ｂも、第３実施形態によるヒートポンプ４と同様に動作する。
【０１１８】
図１３は、各々の四方弁４８，５０において、第１の入口ポートＩＰ１と第２の出口ポートＯＰ２とを接続し、第２の入口ポートＩＰ２と第１の出口ポートＯＰ１とを接続した場合を示している。
【０１１９】
各々の四方弁４８，５０をこのように設定した場合には、第３実施形態によるヒートポンプ４と同様に、第１の吸着器２４は加熱流体により加熱されて脱着過程となり、第２の吸着器２６は冷却流体により冷却されて吸着過程となる。
【０１２０】
第１の吸着器２４と蒸発器３０との間の隔壁１０においては、第３実施形態によるヒートポンプ４と同様に、第１の吸着器２４内の圧力が蒸発器３０内の圧力よりも高くなるため、バルブ２ａが閉じた状態となる。一方、第１の吸着器２４と凝縮器２８との間の隔壁１０においては、第３実施形態によるヒートポンプ４と同様に、第１の吸着器２４内の圧力が凝縮器２８内の圧力よりも高くなるため、バルブ２ａは開いた状態となる。
【０１２１】
第２の吸着器２６と凝縮器２８との間の隔壁１０においては、第３実施形態によるヒートポンプ４と同様に、第２の吸着器２６内の圧力が凝縮器２８内の圧力よりも低くなるため、バルブ２ａが閉じた状態となる。一方、第２の吸着器２６と蒸発器３０との間の隔壁１０においては、第３実施形態によるヒートポンプ４と同様に、第２の吸着器２６内の圧力が蒸発器３０内の圧力よりも低くなるため、バルブ２ａは開いた状態となる。
【０１２２】
従って、本実施形態によるヒートポンプ４ｂも、第３実施形態によるヒートポンプ４と同様に動作する。
【０１２３】
このように、バルブ２ａが水平な隔壁１０に設けられていてもよい。バルブ２ａの弁体１４ａの両端が隔壁１０に固定されているため、水平な隔壁１０の下面側に弁体１４ａを取り付けた場合であっても、重力により弁体１４ａが開いた状態になってしまうことはない。従って、水平な隔壁１０の下面側に弁体１４ａを取り付けた場合であっても、正常に動作し得る。
【０１２４】
［変形実施形態］
上記実施形態に限らず種々の変形が可能である。
【０１２５】
例えば、第３及び第４実施形態では、第１実施形態によるバルブ２を隔壁１０に設ける場合を例に説明したが、これに限定されるものではない。例えば、第２実施形態によるバルブ２ａを、第３及び第４実施形態によるヒートポンプ４、４ａの隔壁１０に設けるようにしてもよい。
【０１２６】
また、第５実施形態では、いずれの隔壁１０にも第２実施形態によるバルブ２ａを設ける場合を例に説明したが、これに限定されるものではない。例えば、吸着器２４，２６と蒸発器３０との間の隔壁１０には、第１実施形態のバルブ２を設けるようにしてもよい。吸着器２４，２６と蒸発器３０との間の隔壁１０においては、隔壁１０の上面側に弁体を配するため、第１実施形態によるバルブ２を用いることが可能である。
【０１２７】
また、上記実施形態では、冷媒３４として水を用いる場合を例に説明したが、冷媒３４は水に限定されるものではない。例えば、冷媒３４としてメタノール、エタノール等を用いてもよい。
【０１２８】
上記実施形態に関し、更に以下の付記を開示する。
【０１２９】
（付記１）
隔壁に形成された通気孔を開閉するシート状の弁体を有し、
前記弁体は、前記通気孔の縁に当接する凸部を有している
ことを特徴とするバルブ。
【０１３０】
（付記２）
付記１記載のバルブにおいて、
前記凸部は半球殻状である
ことを特徴とするバルブ。
【０１３１】
（付記３）
付記１又は２記載のバルブにおいて、
前記隔壁には複数の前記通気孔が形成されており、
前記シート状の弁体は、前記複数の通気孔の縁にそれぞれ当接する複数の前記凸部を有する
ことを特徴とするバルブ。
【０１３２】
（付記４）
付記１乃至３のいずれかに記載のバルブにおいて、
前記弁体の一端が、前記隔壁に固定されている
ことを特徴とするバルブ。
【０１３３】
（付記５）
付記１乃至３のいずれかに記載のバルブにおいて、
前記弁体は、伸縮可能であり、
前記弁体の両端が、前記隔壁に固定されている
ことを特徴とするバルブ。
【０１３４】
（付記６）
吸着過程と脱着過程とが交互に切り換えられる吸着器と、
前記脱着過程にある前記吸着器から脱着した冷媒の供給を受けて、前記冷媒を凝縮させる凝縮器と、
前記凝縮器により凝縮された前記冷媒の供給を受けて、前記冷媒を蒸発させ、前記吸着過程にある前記吸着器に前記冷媒を供給する蒸発器と、
前記吸着器と前記凝縮器との間、又は、前記吸着器と前記蒸発器との間の隔壁に形成された通気孔を開閉するシート状の弁体を有し、前記弁体は、前記通気孔の縁に当接する凸部を有しているバルブと
を有することを特徴とするヒートポンプ。
【０１３５】
（付記７）
付記６記載のヒートポンプにおいて、
前記凸部は半球殻状である
ことを特徴とするヒートポンプ。
【０１３６】
（付記８）
付記６又は７記載のヒートポンプにおいて、
前記隔壁には複数の前記通気孔が形成されており、
前記シート状の弁体は、前記複数の通気孔の縁にそれぞれ当接する複数の前記凸部を有する
ことを特徴とするヒートポンプ。
【０１３７】
（付記９）
付記６乃至８のいずれかに記載のヒートポンプにおいて、
前記弁体の一端が、前記隔壁に固定されている
ことを特徴とするヒートポンプ。
【０１３８】
（付記１０）
付記６乃至９のいずれかに記載のヒートポンプにおいて、
前記弁体は、伸縮可能であり、
前記弁体の両端が、前記隔壁に固定されている
ことを特徴とするヒートポンプ。
【０１３９】
（付記１１）
付記１１記載のヒートポンプにおいて、
前記凝縮器は、前記吸着器の下側に位置しており、
前記バルブは、前記吸着器と前記凝縮器との間の前記隔壁の下面側に取り付けられている
ことを特徴とするヒートポンプ。
【０１４０】
（付記１２）
情報機器と、
前記情報機器から発せられる熱を用いた加熱により吸着過程と脱着過程とが交互に切り換わる吸着器と、前記脱着過程にある前記吸着器から脱着した冷媒の供給を受けて、前記冷媒を凝縮させる凝縮器と、前記凝縮器により凝縮された前記冷媒の供給を受けて、前記冷媒を蒸発させ、前記吸着過程にある前記吸着器に前記冷媒を供給する蒸発器と、前記吸着器と前記凝縮器との間、又は、前記吸着器と前記蒸発器との間の隔壁に形成された通気孔を開閉するシート状の弁体を有し、前記弁体は、前記通気孔の縁に当接する凸部を有しているバルブとを有するヒートポンプと、
前記ヒートポンプにより冷却される熱媒流体を用いて空調を行う空調装置と
を有することを特徴とする情報処理システム。
【符号の説明】
【０１４１】
２、２ａ…バルブ
４、４ａ、４ｂ…ヒートポンプ
１０…隔壁
１２…通気孔
１４、１４ａ…弁体
１６…台座、固定部材
１８…ねじ
２０…縁
２２…凸部
２４…第１の吸着器
２６…第２の吸着器
２８…凝縮器
３０…蒸発器
３２…ケーシング
３４…冷媒
３６…吸着剤
３８…熱交換流路
４０…熱交換流路
４２…熱交換流路
４４…細管
４６…熱交換流路
４８…第１の四方弁
５０…第２の四方弁
５２…情報機器
５４…配管
５６…ポンプ
５８…冷却部、冷却塔
６０…配管
６２…ポンプ
６４…配管
６６…配管
６８…配管
７０…配管
７２…配管
７４…配管
７６…空調装置
７７…基板
７８…発熱体、ＣＰＵ
８０…コールドプレート
ＩＰ１…第１の入力ポート
ＩＰ２…第２の入力ポート
ＯＰ１…第１の出力ポート
ＯＰ２…第２の出力ポート
【図１】
2013015169.tif 000003
【図２】
2013015169.tif 000004
【図３】
2013015169.tif 000005
【図４】
2013015169.tif 000006
【図５】
2013015169.tif 000007
【図６】
2013015169.tif 000008
【図７】
2013015169.tif 000009
【図８】
2013015169.tif 000010
【図９】
2013015169.tif 000011
【図１０】
2013015169.tif 000012
【図１１】
2013015169.tif 000013
【図１２】
2013015169.tif 000014
【図１３】
2013015169.tif 000015
【図１４】
2013015169.tif 000016